(57)【特許請求の範囲】
【請求項１】
第１の素線をらせん状に巻回した部分と、前記第１の素線をらせん状に巻回した部分の基端側に位置し、第２の素線をらせん状に巻回した部分とから成るコイル体であって、
前記コイル体の縦断面視における前記第１の素線の断面は、内周側に凸状の湾曲形状であり、
前記コイル体の縦断面視における前記第２の素線の断面は矩形形状であり、
前記第１の素線の外周面と前記第２の素線の外周面とは、連続した平坦面となっているコイル体。
【請求項２】
請求項１に記載のコイル体であって、
前記第１の素線と前記第２の素線とは、素線どうしが接触する密巻きとなっていることを特徴とするコイル体。
【請求項３】
請求項１または請求項２の何れかに記載のコイル体であって、
前記コイル体の縦断面視における前記第１の素線の断面は、半円形状であることを特徴とするコイル体。
【請求項４】
請求項１ないし請求項３の何れかに記載のコイル体であって、
前記第１の素線と前記第２の素線とは、連続した１本の素線によって形成されていることを特徴とするコイル体。
【請求項５】
請求項４に記載のコイル体であって、
前記コイル体の縦断面視における前記コイル体の長軸方向と直交する方向の前記第２の素線の厚みは、前記コイル体の縦断面視における前記コイル体の長軸方向と直交する方向の前記第１の素線の厚みよりも小さいことを特徴とするコイル体。
【請求項６】
請求項１ないし請求項５の何れかに記載のコイル体であって、
前記第１の素線をらせん状に巻回した部分、および前記第２の素線をらせん状に巻回した部分は、複数の素線をらせん状に巻回することによって中空の撚線状に形成されていることを特徴とするコイル体。
【請求項７】
請求項１ないし請求項６の何れかに記載のコイル体と、前記コイル体の内腔に挿通されたコアシャフトとを備えるガイドワイヤであって、
前記第１の素線をらせん状に巻回した部分は、前記第２の素線をらせん状に巻回した部分よりも前記ガイドワイヤの先端側に位置するガイドワイヤ。
【請求項８】
請求項１ないし請求項６の何れかに記載のコイル体によってシャフト部が構成されたカテーテルであって、
前記第１の素線をらせん状に巻回した部分は、前記第２の素線をらせん状に巻回した部分よりも前記カテーテルの先端側に位置するカテーテル。
【請求項９】
請求項１ないし請求項６の何れか記載のコイル体と、前記コイル体の先端部に設けられた処置部と、前記コイル体の基端部に設けられた操作部と、前記コイル体の内腔に挿通され、前記処置部と前記操作部とを連結する芯材とを備える医療用処置具であって、
前記第１の素線をらせん状に巻回した部分は、前記第２の素線をらせん状に巻回した部分よりも前記医療用処置具の先端側に位置する医療用処置具。
【発明の詳細な説明】
【技術分野】
【０００１】
本発明は、コイル体、およびコイル体を備えるガイドワイヤ、カテーテル、および医療用処置具に関する。
【背景技術】
【０００２】
ガイドワイヤやカテーテルなど、血管に挿入される医療器具には、コイル体が用いられることがある。例えば、ガイドワイヤでは、芯材となるコアシャフトの周囲を覆うようにコイル体が設けられる。また、カテーテルでは、血管内に挿入されるシャフト部にコイル体が用いられることがある。
また、コイル体は、内視鏡用処置具などの医療用処置具のロープ部に用いられることもある。
【０００３】
ガイドワイヤ、カテーテル、および医療用処置具などは、血管や内視鏡の内腔などの湾曲した通路を通過する必要がある。従って、これらの医療器具に用いられるコイル体には、先端側が湾曲し易いという特性が求められる。そこで、例えばガイドワイヤに用いられるコイル体において、その先端側の外周面に研磨加工を施すことにより、先端側を湾曲し易くしたものが提案されている（特許文献１）。
【先行技術文献】
【特許文献】
【０００４】
【特許文献１】特表２００４−５３３２７１号公報
【発明の概要】
【発明が解決しようとする課題】
【０００５】
しかし、上述した従来のコイル体では、先端側は湾曲し易いものの、プッシャビリティ（手元側で加えた押し込み力が減衰せずに、先端側まで伝達される特性）が十分ではないという問題があった。加えて、従来のコイル体では、コイル体の外周面（特に基端側の外周面）に凹凸があるため、血管などの内壁に対する滑り性が良好ではないという問題があった。
【０００６】
この発明は、従来の技術が有する上述した課題に対応してなされたものであり、先端側が湾曲し易く、且つ、十分なプッシャビリティと、良好な滑り性とを兼ね備えるコイル体、およびコイル体を備えるガイドワイヤ、カテーテル、医療用処置具の提供を目的とする。
【課題を解決するための手段】
【０００７】
上述した課題を解決するために、本発明のコイル体は次の構成を採用した。すなわち、本発明のコイル体は、第１の素線をらせん状に巻回した部分と、前記第１の素線をらせん状に巻回した部分の基端側に位置し、第２の素線をらせん状に巻回した部分とから成るコイル体であって、前記コイル体の縦断面視における前記第１の素線の断面は、内周側に凸状の湾曲形状であり、前記コイル体の縦断面視における前記第２の素線の断面は矩形形状であり、前記第１の素線の外周面と前記第２の素線の外周面とは、連続した平坦面となっていることを特徴とする。
【０００８】
このような本発明のコイル体においては、コイル体の先端側の素線（第１の素線）の断面が内周側に凸状の湾曲形状となっているので、コイル体の先端側を湾曲し易くすることができる。また、コイル体の基端側の素線（第２の素線）の断面が矩形形状となっているので、コイル体を先端側に押し込んだ際に、第２の素線どうしが面接触することで、押し込み力を先端側に伝達し易くすることができる。更に、第１の素線の外周面と第２の素線の外周面とが連続した平坦面となっているので、コイル体の外周面における滑り性を良好なものとすることができる。その結果、先端側が湾曲し易く、且つ、十分なプッシャビリティと、良好な滑り性とを兼ね備えたコイル体を実現可能となる。
【０００９】
また、上述した本発明のコイル体においては、第１の素線と第２の素線とは、素線どうしが接触する密巻きとしてもよい。こうすれば、コイル体を押し込んだ際に、押し込み力を先端側により伝達し易くすることができるので、コイル体のプッシャビリティをより向上させることが可能となる。
【００１０】
また、上述した本発明のコイル体においては、コイル体の縦断面視における第１の素線の断面を、半円形状としてもよい。
【００１１】
こうすれば、コイル体の外周側での第１の素線どうしの隙間を小さくすることができる。その結果、コイル体の先端側の外周面をより平滑となるので、コイル体の外周面での滑り性を向上させることが可能となる。
【００１２】
また、上述した本発明のコイル体においては、第１の素線と第２の素線とが、連続した１本の素線によって形成されていてもよい。
【００１３】
こうすれば、第１の素線と第２の素線とを溶接、あるいはロウ付けなどの方法で接続してコイル体を形成する場合と比較して、真直性の高いコイル体を簡単に形成することが可能となる。
【００１４】
また、上述した本発明のコイル体においては、コイル体の縦断面視におけるコイル体の長軸方向と直交する方向の第２の素線の厚みを、コイル体の縦断面視におけるコイル体の長軸方向と直交する方向の第１の素線の厚みよりも小さくしてもよい。
【００１５】
詳細については後述するが、こうすれば、コイル体が湾曲した際に、第１の素線と第２の素線との境界部分において、第１の素線が第２の素線に干渉することを抑制することができる。その結果、コイル体の先端側をより湾曲し易くすることが可能となる。
【００１６】
また、上述した本発明のコイル体においては、第１の素線をらせん状に巻回した部分、および第２の素線をらせん状に巻回した部分が、複数の素線をらせん状に巻回することによって中空の撚線状に形成されていてもよい。
【００１７】
一般に、中空の撚線コイルは、単線のコイルに比べてプッシャビリティに優れている。従って、第１の素線をらせん状に巻回した部分、および第２の素線をらせん状に巻回した部分を中空の撚線状に形成することによって、コイル体のプッシャビリティを向上させることが可能となる。
【００１８】
また、上述した本発明のコイル体を、ガイドワイヤに適用することとしてもよい。すなわち、本発明のコイル体と、コイル体の内腔に挿通されたコアシャフトとを備えるガイドワイヤにおいて、第１の素線をらせん状に巻回した部分を、第２の素線をらせん状に巻回した部分よりもガイドワイヤの先端側に配置することとしてもよい。
【００１９】
上述したように、本発明のコイル体は、先端側が湾曲し易く、且つ、十分なプッシャビリティと、良好な滑り性とを兼ね備えている。従って、このようなコイル体をガイドワイヤに適用することで、湾曲した血管に追従し易く、硬い病変部でも貫通可能で、且つ、血管内壁に引っ掛かり難いガイドワイヤを実現することが可能となる。
【００２０】
また、上述した本発明のコイル体を、カテーテルに適用することとしてもよい。すなわち、本発明のコイル体によってシャフト部が構成されたカテーテルにおいて、第１の素線をらせん状に巻回した部分を、第２の素線をらせん状に巻回した部分よりもカテーテルの先端側に配置することとしてもよい。
【００２１】
こうすれば、上述した本発明のコイル体の特性（先端側の湾曲し易さ、プッシャビリティ、および滑り性）により、湾曲した血管に追従し易く、硬い病変部でも貫通可能で、且つ、血管内壁に引っ掛かり難いカテーテルを実現可能となる。
特に、本発明のカテーテルは、病変部に対する高い貫通性を有している。従って、例えば、閉塞した病変部にバルーンカテーテルを挿入する際に、予め病変部に孔を空ける作業を行うカテーテル（いわゆる貫通用カテーテル）として、好適に用いることが可能である。
【００２２】
また、上述した本発明のコイル体を、医療用処置具に適用することとしてもよい。すなわち、本発明のコイル体と、コイル体の先端部に設けられた処置部と、コイル体の基端部に設けられた操作部と、コイル体の内腔に挿通され、処置部と操作部とを連結する芯材とを備える医療用処置具において、第１の素線をらせん状に巻回した部分を、第２の素線をらせん状に巻回した部分よりも医療用処置具の先端側に配置することとしてもよい。
【００２３】
こうすれば、上述した本発明のコイル体の特性（先端の湾曲し易さ、プッシャビリティ、および滑り性）により、湾曲した医療機器の内腔（例えば、内視鏡の内腔）に追従し易く、また、医療機器の内腔の湾曲が大きい部分であっても、基端側から押し込むことで湾曲部を容易に乗り越えることができ、更には医療機器の内腔に引っ掛かり難い医療用処置具を実現可能となる。
【図面の簡単な説明】
【００２４】
【図１】本発明の第１実施形態のガイドワイヤの構成を示した説明図である。
【図２】本発明の第１実施形態のガイドワイヤのコイル体を示した説明図である。
【図３】本発明の第２実施形態のガイドワイヤのコイル体を示した説明図である。
【図４】本発明の第３実施形態のガイドワイヤのコイル体を示した説明図である。
【図５】本発明の第４実施形態のガイドワイヤのコイル体を示した説明図である。
【図６】本発明の第５実施形態のガイドワイヤのコイル体を示した説明図である。
【図７】本発明の第６実施形態のガイドワイヤのコイル体を示した説明図である。（ａ）には、コイル体の縦断面図が示されており、（ｂ）には、（ａ）のＡＡ断面におけるコイル体の断面図が示されており、（ｃ）には、（ａ）のＢＢ断面におけるコイル体の断面図が示されている。
【図８】本発明の第７実施形態のカテーテルの構成を示した説明図である。（ａ）には、カテーテルの全体図が示されており、（ｂ）には、シャフト部の縦断面図が示されている。
【図９】本発明の第８実施形態の内視鏡用処置具の構成を示した説明図である。（ａ）には、内視鏡用処置具の全体図が示されており、（ｂ）には、ロープ部の縦断面図が示されている。
【発明を実施するための形態】
【００２５】
Ａ．第１実施形態  ：
以下では、上述した本発明の内容を明確にするために、本発明のコイル体、およびコイル体を備えるガイドワイヤ、カテーテル、および医療用処置具の各種実施形態を説明する。
図１は、本発明の第１実施形態のガイドワイヤ１の構成を示した説明図である。ガイドワイヤ１は、コアシャフト５と、コアシャフト５を覆うコイル体１０などから構成されている。コイル体１０の先端部とコアシャフト５の先端部とは先端ロウ付部６で接続されており、コイル体１０の基端部とコアシャフト５の中間部とは後端ロウ付部７で接続されている。
【００２６】
図２は、本発明の第１実施形態のガイドワイヤ１のコイル体１０を示した説明図である。図示されているように、本実施形態のコイル体１０は、第１の素線１１をらせん状に巻回した部分（図面右側の部分）と、この部分の基端側に位置し、第２の素線１２をらせん状に巻回した部分（図面左側の部分）とから成っている。
【００２７】
第１の素線１１をらせん状に巻回した部分と第２の素線１２をらせん状に巻回した部分とは、互いの境界部分において、溶接、またはロウ付けなどの方法によって接続される。図２には、上述した２つの部分が溶接部１３を介して接続された例が示されている。尚、本実施形態では、第１の素線１１の巻き方向が、先端に向かって反時計回り方向（Ｓ巻き）となっており、第２の素線１２の巻き方向が、先端に向かって時計回り方向（Ｚ巻き）となっている。
【００２８】
ここで、本実施形態のコイル体１０では、コイル体１０の縦断面視における第１の素線１１の断面が、内周側に凸状の湾曲形状となっている。また、コイル体１０の縦断面視における第２の素線１２の断面が、矩形形状となっている。更に、第１の素線１１の外周面と前記第２の素線１２の外周面とは、連続した連続面となっている。
【００２９】
このような本実施形態のコイル体１０は、以下のような特性を有する。先ず、コイル体１０の先端側の素線（第１の素線１１）の断面が内周側に凸状の湾曲形状となっているので、コイル体１０の先端側が湾曲し易いという特性がある。また、コイル体１０の基端側の素線（第２の素線１２）の断面が矩形形状となっているので、コイル体１０を先端側に押し込んだ際に、第２の素線１２どうしが面接触することで、押し込み力を先端側に伝達し易いという特性がある。更に、第１の素線１１の外周面と第２の素線１２の外周面とが連続した連続面となっているので、コイル体１０の外周面での摺動抵抗が小さい（滑り性が良好である）という特性がある。
【００３０】
以上のように、本実施形態のコイル体１０は、先端側が湾曲し易く、且つ、十分なプッシャビリティと、良好な滑り性とを兼ね備えている。従って、このようなコイル体１０を用いてガイドワイヤ１を構成することによって、湾曲した血管に追従し易く、硬い病変部でも貫通させることができ、且つ、血管内壁に引っ掛かり難いガイドワイヤ１を実現することが可能となる。
【００３１】
上述した第１実施形態には、関連する他の実施形態が存在する。以下では、他の実施形態について簡単に説明する。
【００３２】
Ｂ．第２実施形態  ：
図３は、第２実施形態のガイドワイヤのコイル体２０を示した説明図である。上述した第１実施形態のコイル体１０では、第１の素線１１（および第２の素線１２）どうしが接触しておらず、いわゆる「疎巻き」になっているものとして説明した（図２を参照）。これに対して、第２実施形態のコイル体２０では、第１の素線２１（および第２の素線２２）どうしが接触しており、いわゆる「密巻き」となっている。
尚、第１の素線２１と第２の素線２２とは、溶接部２３を介して接続されている。
【００３３】
このような本実施形態のコイル体２０では、第１の素線２１（および第２の素線２２）が「密巻き」となっているので、第１の素線（および第２の素線）が「疎巻き」の場合に比べて、コイル体２０のプッシャビリティをより向上させることができる。その結果、コイル体２０を備えるガイドワイヤ（図示は省略）において、病変部の貫通性をより向上させることが可能となる。
【００３４】
Ｃ．第３実施形態  ：
図４は、第３実施形態のガイドワイヤのコイル体３０を示した説明図である。本実施形態のコイル体３０は、上述した第１実施形態および第２実施形態のコイル体と比較して、第１の素線３１の断面形状が異なっている。すなわち、本実施形態のコイル体３０の第１の素線３１の断面は、半円形状となっている。
尚、本実施形態のコイル体３０においても、第２の素線３２の断面は矩形形状となっている。また、第１の素線３１と第２の素線３２とは、溶接部３３を介して接続されている。
【００３５】
このような本実施形態のコイル体３０では、第１の素線３１の断面が半円形状となっているので、上述した各種実施形態のコイル体と比較して、コイル体３０の外周側での第１の素線３１どうしの隙間を小さくすることができる。従って、コイル体３０の先端側の外周面をより平滑とすることができるので、コイル体３０の外周面での滑り性を向上させることができる。その結果、コイル体３０を備えるガイドワイヤ（図示は省略）において、血管内壁にガイドワイヤが引っ掛かることをより確実に抑制可能となる。
【００３６】
Ｄ．第４実施形態  ：
図５は、第４実施形態のガイドワイヤのコイル体４０を示した説明図である。上述した第１〜第３実施形態では、第１の素線から成る部分と第２の素線から成る部分とをロウ付けや溶接によって接続することによって、コイル体を形成するものと説明した（図２〜４を参照）。これに対して、本実施形態のコイル体４０では、第１の素線４１と第２の素線４２とが、連続した１本の素線で形成されている。
【００３７】
尚、このような本実施形態のコイル体４０は、例えば、以下のようにして製造することができる。先ず、断面が円形の素線をらせん状に巻回してコイルを形成する。続いて、コイルの基端側にスウェージング加工を施すことによって、コイルの縦断面視における断面が矩形形状の部分を形成する。さらに、コイルの先端側（スウェージング加工が施されていない部分）の外周面に研磨加工を施し、コイルの先端側の外径と基端側の外径とを合わせる。こうすることで、本実施形態のコイル体４０を形成することができる。もちろん、コイルの先端側の外周面に研磨加工を施した後に、コイルの基端側にスウェージング加工を施すことによっても、コイル体４０を形成することができる。
【００３８】
このような本実施形態のコイル体４０では、上述した第１〜第３実施形態のように２つの部材（第１の素線からなる部分と第２の素線からなる部分）をロウ付けや溶接などの方法によって接続することなく、コイル体４０を形成することができる。従って、真直性の高いコイル体４０を簡単に形成することが可能となる。
【００３９】
Ｅ．第５実施形態  ：
図６は、第５実施形態のガイドワイヤのコイル体５０を示した説明図である。上述した第４実施形態のコイル体４０では、コイル体４０の縦断面視におけるコイル体４０の長軸方向と直交する方向の第１の素線４１の厚みと第２の素線４２の厚みとが同じであった（図５を参照）。これに対して、本実施形態のコイル体５０では、コイル体５０の縦断面視におけるコイル体５０の長軸方向と直交する方向の第２の素線５２の厚みは、コイル体５０の縦断面視におけるコイル体５０の長軸方向と直交する方向の第１の素線５１の厚みよりも小さく設定されている。
【００４０】
このような本実施形態のコイル体５０では、上述した第４実施形態のコイル体４０と比較して、第１の素線５１と第２の素線５２との境界部分における第２の素線５２の出っ張り（内周側への出っ張り）を抑制することができる。従って、コイル体５０が湾曲した際に、第１の素線５１と第２の素線５２との境界部分での第１の素線５１と第２の素線５２との干渉が抑制され、コイル体５０の先端側をより湾曲し易くすることができる。その結果、コイル体５０を備えるガイドワイヤ（図示は省略）において、湾曲した血管に対する追従性をより向上させることが可能となる。
【００４１】
Ｆ．第６実施形態  ：
図７は、第６実施形態のガイドワイヤのコイル体６０を示した説明図である。（ａ）には、コイル体６０の縦断面図が示されており、（ｂ）には、（ａ）のＡＡ断面におけるコイル体６０の断面図が示されており、（ｃ）には、（ａ）のＢＢ断面におけるコイル体６０の断面図が示されている。
【００４２】
上述した各種実施形態のコイル体では、先端側および基端側の部分が、１本の素線（第１の素線または第２の素線）をらせん状に巻回することによって形成されていた（図２〜図６を参照）。これに対して、コイル体６０では、先端側および基端側の部分が、複数の素線（第１の素線６１ａ〜６１ｈ，または第２の素線６２ａ〜６２ｈ）をらせん状に巻回することによって、中空の撚線状に形成されている（図３（ａ）〜（ｃ）を参照）。
また、第１の素線６１ａ〜６１ｈによって形成された部分と、第２の素線６２ａ〜６２ｈによって形成された部分とは、溶接部６３を介して接続されている。
【００４３】
以上の点以外は、上述した第１実施形態のコイル体１０と同様である。すなわち、コイル体６０の縦断面視における第１の素線６１の断面は内周側に凸状の湾曲形状となっており、コイル体６０の縦断面視における第２の素線６２の断面は矩形形状となっており、第１の素線６１の外周面と前記第２の素線６２の外周面とは、連続した連続面となっている。
【００４４】
一般に、中空の撚線は、単線のコイルに比べてプッシャビリティに優れている。従って、本実施形態のコイル体６０のように、コイル体６０を中空の撚線状に形成することで、コイル体６０のプッシャビリティを向上させることができる。その結果、コイル体６０を備えるガイドワイヤ（図示は省略）において、病変部の貫通性を向上させることが可能となる。
【００４５】
Ｇ．第７実施形態  ：
上述した第１実施形態〜第６実施形態では、本発明のコイル体をガイドワイヤに適用するものとして説明した。これに対して、本発明のコイル体をカテーテルに適用することとしても良い。
図８は、本発明のコイル体を有するカテーテル２の構成を示した説明図である。（ａ）には、カテーテル２の全体図が示されており、（ｂ）には、シャフト部７０の縦断面図が示されている。
【００４６】
図８（ａ）されているように、本実施形態のカテーテル２は、シャフト部７０と、シャフト部７０の先端部の設けられた先端チップ７４と、シャフト部７０の基端部に設けられたコネクター７５などから構成されている。そして、シャフト部７０には、上述した各種実施形態のコイル体が用いられる。図８（ｂ）に示した例では、シャフト部７０は、断面が半円形状の第１の素線７１をらせん状に巻回した部分と、断面が矩形形状の第２の素線７２をらせん状に巻回した部分とが、溶接部７３を介して接続されたものであり、第１の素線７１の外周面と前記第２の素線７２の外周面とが連続した連続面となっている。
【００４７】
このような本実施形態のカテーテル２においては、上述した各種実施形態のコイル体をシャフト部７０に用いているので、カテーテル２の先端側を湾曲し易くすることができ、且つ、十分なプッシャビリティと、良好な滑り性とをカテーテル２に付与することができる。その結果、湾曲した血管に追従し易く、硬い病変部でも貫通することができ、且つ、血管内で内壁に引っ掛かり難いカテーテル２を実現可能となる。
【００４８】
特に、本実施形態のカテーテル２は、病変部に対する高い貫通性を有している。従って、例えば、閉塞した病変部にバルーンカテーテルを挿入する際に、予め病変部に孔を空ける作業を行うカテーテル（いわゆる貫通用カテーテル）として、好適に用いることが可能である。
【００４９】
Ｈ．第８実施形態  ：
本発明のコイル体は、ガイドワイヤやカテーテル以外にも、例えば、内視鏡用処置具などの医療用処置具に適用することができる。
【００５０】
図９は、本発明のコイル体を有する内視鏡用処置具３の構成を示した説明図である。（ａ）には、内視鏡用処置具３の全体図が示されており、（ｂ）には、ロープ部８０の縦断面図が示されている。
【００５１】
図9（ａ）に示されているように、本実施形態の内視鏡用処置具３は、中空のロープ部８０と、ロープ部８０の先端に設けられたループ状の処置部８４と、ロープ部８０の基端に設けられた操作部８５などから構成されている。ロープ部８０の内腔には芯線８６が挿通されており、芯線８６によって、処置部８４と操作部８５とが連結されている。このため、操作部８５を押し引きすることによって、ループ状の処置部８４がロープ部８０の内腔に出入り可能となっており、そのことによって処置部８４のループの大きさを変更可能となっている。
【００５２】
そして、ロープ部８０には、上述した各種実施形態のコイル体が用いられる。図９（ｂ）に例示したロープ部８０は、断面が半円形状の第１の素線８１をらせん状に巻回した部分と、断面が矩形形状の第２の素線８２をらせん状に巻回した部分とが、溶接部８３を介して接続されたものであり、第１の素線８１の外周面と前記第２の素線８２の外周面とが連続した連続面となっている。
【００５３】
このような本実施形態の内視鏡用処置具３では、上述した各種実施形態のコイル体をロープ部８０に用いているので、内視鏡用処置具３の先端側を湾曲し易くすることができ、且つ、十分なプッシャビリティと、良好な滑り性とを内視鏡用処置具３に付与することができる。その結果、湾曲した内視鏡の内腔にも追従し易く、内視鏡の内腔の湾曲が大きい部分でも、基端側から押し込むことで容易に湾曲部を乗り越えることができ、且つ、内視鏡の内腔の壁面に引っ掛かり難い内視鏡用処置具３を実現可能となる。
【００５４】
以上、各種実施形態のコイル体について説明したが、本発明は上述の実施形態に限られるものではなく、その要旨を逸脱しない範囲において種々の態様で実施することが可能である。例えば、図７に示したコイル体では、複数の第１の素線６１ａ〜６１ｈをらせん状に巻回した部分と、複数の第２の素線６２ａ〜６２ｈをらせん状に巻回した部分とを、溶接によって接続するものと説明した。しかし、対応する第１の素線と第２の素線（例えば、第１の素線６１ａと第２の素線６２ａ）どうしを、連続する１本の素線としてもよい（図示は省略）。こうすれば、コイル体を、継ぎ目のない中空の撚線コイル状に形成することができるので、真直性の高いコイル体を簡単に形成することが可能となる。
【符号の説明】
【００５５】
１・・・ガイドワイヤ
２・・・カテーテル
３・・・内視鏡用処置具
５・・・コアシャフト
６・・・先端ロウ付部
７・・・後端ロウ付部
１０，２０，３０，４０，５０，６０・・・コイル体
１１，２１，３１，４１，５１，６１，７１，８１・・・第１の素線
１２，２２，３２，４２，５２，６２，７２，８２・・・第２の素線
１３，２３，３３，６３，７３，８３・・・溶接部
７０・・・シャフト部
７４・・・先端チップ
７５・・・コネクター
８０・・・ロープ部
８４・・・処置部
８５・・・操作部
８６・・・芯線
【図１】
0005999708.tif 000002
【図２】
0005999708.tif 000003
【図３】
0005999708.tif 000004
【図４】
0005999708.tif 000005
【図５】
0005999708.tif 000006
【図６】
0005999708.tif 000007
【図７】
0005999708.tif 000008
【図８】
0005999708.tif 000009
【図９】
0005999708.tif 000010